(57)【特許請求の範囲】
【請求項１】
伝送制御情報のシンボルとデータシンボルとを送信するキャリアを含む所定の周波数帯域幅を有する信号を、帯域幅を固定して受信する受信部と、
前記キャリアが前記帯域幅の全体に含まれる場合、前記受信部により受信された受信信号を、前記受信信号の中心周波数が直流成分となるベースバンド信号に変換する復調部と、
前記ベースバンド信号に基づいて前記伝送制御情報を復号する復号部と
を備え、
前記復調部は、前記キャリアが前記帯域幅の一部に含まれ、前記受信信号の帯域の中心周波数である第１の周波数と、受信対象の前記キャリアの信号と、受信対象の前記キャリアの信号と帯域が隣接する隣接信号とからなる、前記受信信号の帯域の一部に含まれる所望信号の帯域の中心周波数である第２の周波数とが異なる場合、前記復号部により復号された前記伝送制御情報に基づいて、前記受信信号を、前記第２の周波数が直流成分となるベースバンド信号に変換する
受信装置。
【請求項２】
前記復調部は、前記第１の周波数と前記第２の周波数とが異なる場合であって、受信対象の前記キャリアの信号の両端のうちの一方の端が前記隣接信号と隣接するときに、前記受信信号を前記ベースバンド信号に変換する
請求項１に記載の受信装置。
【請求項３】
前記伝送制御情報に基づいて前記第１の周波数と前記第２の周波数を特定し、前記ベースバンド信号が直流成分となる周波数を設定する設定部をさらに備え、
前記復調部は、前記設定部により設定された周波数に従って、前記受信信号の変換を行う
請求項１または２に記載の受信装置。
【請求項４】
前記所望信号の帯域以外の帯域の信号を抑圧する処理部をさらに備え、
前記復調部は、前記処理部により信号が抑圧された前記受信信号を前記ベースバンド信号に変換する
請求項１乃至３のいずれかに記載の受信装置。
【請求項５】
前記第１の周波数を中心周波数とする帯域は、DVB-C2のTuning Windowの帯域であり、
前記所望信号の帯域は、受信対象のData SliceのOFDM信号を少なくとも一部に含むOFDM信号の帯域である
請求項１乃至４のいずれかに記載の受信装置。
【請求項６】
前記復調部は、前記所望信号の帯域が、C2 System外の帯域とNotchの帯域に挟まれている場合、前記受信信号を、前記所望信号の帯域の中心周波数より、前記C2 System外の帯域に近い周波数が直流成分となる前記ベースバンド信号に変換する
請求項５に記載の受信装置。
【請求項７】
伝送制御情報のシンボルとデータシンボルとを送信するキャリアを含む所定の周波数帯域幅を有する信号を、帯域幅を固定して受信し、
前記キャリアが前記帯域幅の全体に含まれる場合、受信信号を、前記受信信号の中心周波数が直流成分となるベースバンド信号に変換し、
前記ベースバンド信号に基づいて前記伝送制御情報を復号し、
前記キャリアが前記帯域幅の一部に含まれ、前記受信信号の帯域の中心周波数である第１の周波数と、受信対象の前記キャリアの信号と、受信対象の前記キャリアの信号と帯域が隣接する隣接信号とからなる、前記受信信号の帯域の一部に含まれる所望信号の帯域の中心周波数である第２の周波数とが異なる場合、復号した前記伝送制御情報に基づいて、前記受信信号を、前記第２の周波数が直流成分となるベースバンド信号に変換する
ステップを含む受信方法。
【請求項８】
伝送制御情報のシンボルとデータシンボルとを送信するキャリアを含む所定の周波数帯域幅を有する信号を、帯域幅を固定して受信し、
前記キャリアが前記帯域幅の全体に含まれる場合、受信信号を、前記受信信号の中心周波数が直流成分となるベースバンド信号に変換し、
前記ベースバンド信号に基づいて前記伝送制御情報を復号し、
前記キャリアが前記帯域幅の一部に含まれ、前記受信信号の帯域の中心周波数である第１の周波数と、受信対象の前記キャリアの信号と、受信対象の前記キャリアの信号と帯域が隣接する隣接信号とからなる、前記受信信号の帯域の一部に含まれる所望信号の帯域の中心周波数である第２の周波数とが異なる場合、復号した前記伝送制御情報に基づいて、前記受信信号を、前記第２の周波数が直流成分となるベースバンド信号に変換する
ステップを含む処理をコンピュータに実行させるプログラム。
【発明の詳細な説明】
【技術分野】
【０００１】
本技術は、特に、周波数帯域が可変な信号を受信する場合の受信性能を向上させることができるようにした受信装置、受信方法、およびプログラムに関する。
【背景技術】
【０００２】
地上デジタル放送などにおいては、一般的に、一定の周波数間隔を空けてチャネル（物理チャネル）を規定し、法令で決められた帯域幅の独立した信号を送るようになっている。チャネル間干渉などの観点から、所定の帯域幅のガードバンドが各チャネルの間に設定される。
【０００３】
例えば、欧州の地上デジタル放送規格であるDVB-T/T2の場合、図１Ａに示すように各チャネルの帯域幅は8MHzである。受信機は、そのような予め決められた帯域幅の信号が送信されてくることを前提として設計されることになる。
【０００４】
このような伝送方式によって信号を送信する送信事業者は、例えば、チャネル（物理チャネル）の一部に妨害波が存在する場合、その帯域全体を使わないような選択を行っていた。これにより、周波数帯域の無駄が生じることになる。
【０００５】
ところで、欧州の第２世代のケーブルデジタル放送の規格として2010年に規格化されたDVB-C2では、このような無駄を避ける仕組みが盛り込まれている（非特許文献１）。
【０００６】
図１Ｂに示すように、DVB-C2にはData Sliceという概念があり、それを所定の数だけ組み合わせてC2 Systemが構成される。個々のData Sliceは3408キャリア以下の帯域幅とし、規格で定められた条件を満たす範囲であれば自由な組み合わせが許されている。
【０００７】
また、DVB-C2にはNotchという概念がある。送信事業者は、外乱等のために使用不可能な帯域をNotchとして定義し、サブキャリア単位で表すNotchの位置の情報をC2 Systemに含めることができるようになっている。
【０００８】
図２Ａは、DVB-T/T2の信号の例を示す図であり、図２Ｂは、DVB-C2の信号の例を示す図である。図２の横軸は周波数を表す。DVB-C2の信号について説明する。
【０００９】
図２Ｂにおいて線で囲んで示すように、C2 Systemは、Preamble SymbolとData Symbolから構成される。規格上、１つのC2 Systemは最大3.5GHz程度の帯域幅を有する信号となる。
【００１０】
Preamble Symbolは、L1 signalling part 2 data（L1情報）と呼ばれる伝送制御情報の伝送に用いられるシンボルである。L1情報の詳細については後述する。Preamble Symbolを用いて、3408キャリア周期（OFDM(Orthogonal Frequency Division Multiplex)の3408のサブキャリア周期）で同じ情報が繰り返し送信される。3408キャリアは7.61MHzの周波数帯域に相当する。
【００１１】
Data Symbolは番組データなどのTS(Transport Stream)等の伝送に用いられるシンボルである。Data SymbolはData Slice毎に分割される。例えばData Slice １（DS1）とData Slice ２（DS2）とではそれぞれ異なる番組のデータが伝送される。Data Sliceの数などの、各Data Sliceに関するパラメータがL1情報に含まれる。
【００１２】
図２Ｂにおいて黒で塗りつぶして示す部分がNotchである。Notchは、FM放送、警察用の無線通信、軍事用の無線通信などに用いられる周波数帯域であり、C2 Systemの信号の送信に用いられない。送信機が出力する送信信号のうちのNotchの区間は無信号の区間になる。Notchには、帯域幅が48キャリア未満のNarrowband Notchと、48キャリア以上のBroadband Notchとがある。Notchの数や帯域幅などの、各Notchに関するパラメータもL1情報に含まれる。
【００１３】
このように、DVB-C2の信号には帯域幅が可変な「Data Slice」と「Notch」が存在する。受信機としては、送信側によってほぼ任意に選択される帯域幅のOFDM信号を復調できることが求められる。DVB-C2では、所望のData Sliceの幅が3408キャリアより小さい場合がある。所望のData Sliceのキャリア数は、チャネルスキャン時にL1情報から取得される。
【００１４】
受信機における受信処理は、図３Ａに示すような固定の帯域幅（3409キャリア）のTuning Window内の信号を受信するようにして行われる。所望のData Sliceの信号を受信するのに適したTuning Windowの中心位置（中心周波数）は送信側からL1情報によって指定される。
【００１５】
受信機においては、送信側により指定された周波数の信号を用いて直交復調を行うことによってOFDM信号の復調処理が行われる。復調処理によって得られたL1情報に基づいて番組データの復号が行われる。
【先行技術文献】
【非特許文献】
【００１６】
【非特許文献１】DVB-C2規格書 [Digital Video Broadcasting (DVB); Frame structure channel coding and modulation for a second generation digital transmission system for cable systems (DVB-C2)] DVB Document A138
【発明の概要】
【発明が解決しようとする課題】
【００１７】
通常、送信機から指定された周波数のベースバンド信号にダウンコンバージョンすることによって、所望のData SliceのOFDM信号を復調することが可能である。受信信号の復調処理を行い、L1情報に含まれるOFDM信号の配置情報に従って、必要部分、すなわち所望のData Sliceを構成するData Symbolの伝送に用いられているOFDM信号を取り出すことによってそれを実現することができる。
【００１８】
しかし、所望のData SliceがDVB-C2のDependent Static DSであり、受信信号の帯域内にNotch（Broadband Notch）が含まれる場合には復調できないことがある。ここで、Dependent Static DSの表現は、他のData Slice（DS）の帯域においてL1情報を取得してからでないと復調することができず、いわば他のData Sliceに従属しているData Sliceという意味で用いている表現である。
【００１９】
Dependent Static DSは、図２ＢのDS8のように他のData Sliceから離れたData Sliceである。Dependent Static DSは１つのData Sliceから構成されることもあるし、複数のData SliceからなるData Slice群から構成されることもある。
【００２０】
Dependent Static DSを受信する場合、どのようにTuning Windowを選んだとしても、図３Ｂに示すように受信信号の帯域内にBroadband Notchが存在するか、C2 Systemの帯域外が存在することになる。Dependent Static DSを含む帯域を受信して復調してもL1情報を復号できることが保証されない。なお、DVB-C2において受信信号の帯域内にBroadband Notchが含まれる状況は、基本的に、受信しようとするData Sliceが、Dependent Static DSである場合以外にはない。
【００２１】
例えば、Dependent Static DSの帯域が、受信信号の帯域内において周波数の高い帯域、または低い帯域に偏っている場合に復調処理を正しく行うことができないことがある。後述するように、OFDM信号の復調処理においてはキャリア周波数誤差を補正するためにOFDMシンボルを用いてGI相関の計算が行われるが、Dependent Static DSの帯域に偏りがある状態でクロック周波数誤差が存在すると、正しい補正値を求めることができない。
【００２２】
本技術はこのような状況に鑑みてなされたものであり、周波数帯域が可変な信号を受信する場合の受信性能を向上させることができるようにするものである。
【課題を解決するための手段】
【００２３】
本技術の一側面の受信装置は、伝送制御情報のシンボルとデータシンボルとを送信するキャリアを含む所定の周波数帯域幅を有する信号を、帯域幅を固定して受信する受信部と、前記キャリアが前記帯域幅の全体に含まれる場合、前記受信部により受信された受信信号を、前記受信信号の中心周波数が直流成分となるベースバンド信号に変換する復調部と、前記ベースバンド信号に基づいて前記伝送制御情報を復号する復号部とを備え、前記復調部は、前記キャリアが前記帯域幅の一部に含まれ、前記受信信号の帯域の中心周波数である第１の周波数と、受信対象の前記キャリアの信号と、受信対象の前記キャリアの信号と帯域が隣接する隣接信号とからなる、前記受信信号の帯域の一部に含まれる所望信号の帯域の中心周波数である第２の周波数とが異なる場合、前記復号部により復号された前記伝送制御情報に基づいて、前記受信信号を、前記第２の周波数が直流成分となるベースバンド信号に変換する。
【００２４】
前記受信装置は、１つのICチップであってもよいし、ICチップを含む部品、ICチップを含む部品から構成される装置であってもよい。
【００２５】
前記所望信号の帯域には、受信対象の信号の帯域と、前記受信対象の信号の帯域に隣接する隣接信号の帯域とが含まれるようにすることができる。
【００２６】
前記復調部には、前記第１の周波数と前記第２の周波数とが異なる場合であって、受信対象の前記キャリアの信号の両端のうちの一方の端が前記隣接信号と隣接するときに、前記受信信号を前記ベースバンド信号に変換させることができる。
【００２７】
前記受信信号に含まれる伝送制御情報に基づいて前記第１の周波数と前記第２の周波数を特定し、前記ベースバンド信号の直流成分となる周波数を設定する設定部をさらに設けることができる。この場合、前記復調部には、前記設定部により設定された周波数に従って、前記受信信号の変換を行わせることができる。
【００２９】
前記所望信号の帯域以外の帯域の信号を抑圧する処理部をさらに設けることができる。この場合、前記復調部には、前記処理部により信号が抑圧された前記受信信号を前記ベースバンド信号に変換させることができる。
【００３０】
前記第１の周波数を中心周波数とする帯域は、DVB-C2のTuning Windowの帯域であり、前記所望信号の帯域は、受信対象のData SliceのOFDM信号を少なくとも一部に含むOFDM信号の帯域であるようにすることができる。
【００３１】
前記復調部には、前記所望信号の帯域が、C2 System外の帯域とNotchの帯域に挟まれている場合、前記受信信号を、前記所望信号の帯域の中心周波数より、前記C2 System外の帯域に近い周波数が直流成分となる前記ベースバンド信号に変換させることができる。
【発明の効果】
【００３２】
本技術によれば、周波数帯域が可変な信号を受信する場合の受信性能を向上させることができる。
【図面の簡単な説明】
【００３３】
【図１】DVB-T/T2とDVB-C2の信号のスペクトラムを示す図である。
【図２】C2 Systemの例を示す図である。
【図３】受信信号の例を示す図である。
【図４】受信装置の第１の構成例を示すブロック図である。
【図５】L1情報に含まれるパラメータを示す図である。
【図６】受信信号の例を示す図である。
【図７】信号の周波数遷移について説明する図である。
【図８】送信信号の例を示す図である。
【図９】受信信号の帯域の例を示す図である。
【図１０】受信信号の帯域の他の例を示す図である。
【図１１】受信装置の動作について説明するフローチャートである。
【図１２】受信装置の詳細な構成例を示すブロック図である。
【図１３】GI相関計算部の構成例を示すブロック図である。
【図１４】図１３の各位置において観測される信号の例を示す図である。
【図１５】図１３の各位置において観測される信号の他の例を示す図である。
【図１６】OFDM信号の波形を示す図である。
【図１７】誤差がない場合のOFDM信号の波形を示す図である。
【図１８】キャリア周波数誤差がある場合のOFDM信号の波形を示す図である。
【図１９】クロック周波数誤差がある場合のOFDM信号の波形を示す図である。
【図２０】周波数と位相差の関係を示す図である。
【図２１】周波数と位相差の関係を示す他の図である。
【図２２】周波数と位相差の関係を示すさらに他の図である。
【図２３】受信装置の第２の構成例を示すブロック図である。
【図２４】受信装置の第３の構成例を示すブロック図である。
【図２５】受信信号の帯域のさらに他の例を示す図である。
【図２６】受信システムの構成例を示す図である。
【図２７】コンピュータの構成例を示す図である。
【発明を実施するための形態】
【００３４】
以下、本技術を実施するための形態について説明する。説明は以下の順序で行う。
１．受信装置の構成と動作
２．効果について
３．変形例
【００３５】
＜受信装置の構成と動作＞
［受信装置の構成例］
図４は、本技術の一実施形態に係る受信装置の第１の構成例を示すブロック図である。
【００３６】
図４の受信装置１は、DVB-C2の信号の受信が可能なLow-IF受信機である。受信装置１は、RFチューナ１１、復調部１２、およびMPEGデコーダ１３から構成される。
【００３７】
RFチューナ１１は、周波数変換部２１、および発振器２２から構成される。復調部１２は、直交復調部３１、発振器３２、FFT演算部３３、等化部３４、ECC処理部３５、および周波数設定部３６から構成される。ケーブル回線を介して受信装置１に入力されたDVB-C2のOFDM信号を表すRF信号は、RFチューナ１１の周波数変換部２１に入力される。
【００３８】
RFチューナ１１の周波数変換部２１は、入力されたRF信号を受信し、発振器２２から供給された信号に基づいてRF信号の周波数変換を行う。周波数変換部２１は、周波数変換を行うことによって得られたIF信号を直交復調部３１に出力する。
【００３９】
発振器２２は、Tuning Windowに従って所定の周波数の信号を生成し、周波数変換部２１に出力する。
【００４０】
復調部１２の直交復調部３１は、周波数変換部２１から供給されたIF信号に対して、発振器３２から供給された信号に基づいて直交復調を施す。直交復調部３１は、直交復調を施すことによって得られた、C2 Systemを構成するPreamble Symbol、Data Symbolなどの各シンボルを表す時間域のベースバンド信号をFFT演算部３３に出力する。
【００４１】
発振器３２は、周波数設定部３６により設定された周波数の信号を生成し、直交復調部３１に出力する。
【００４２】
FFT演算部３３は、直交復調部３１から供給されたベースバンド信号に対してFFT演算を施し、周波数域の信号を等化部３４に出力する。
【００４３】
等化部３４は、FFT演算部３３から供給された周波数域の信号からパイロットシンボルを抽出し、抽出したパイロットシンボルに基づいて伝送路特性を推定する。等化部３４は、推定した伝送路特性に基づいて伝送路の歪みを除去することによって、FFT演算部３３から供給された周波数域の信号の等化を行い、等化後の信号をECC処理部３５に出力する。
【００４４】
ECC処理部３５は、等化部３４から供給された等化後の信号に含まれるBCH符号、LDPC符号に基づいて各シンボルのデータの誤り訂正復号を行い、誤り訂正復号後のデータを出力する。ECC処理部３５からは、誤り訂正復号によって得られたL1情報、TSのデータが出力され、周波数設定部３６とMPEGデコーダ１３に供給される。
【００４５】
周波数設定部３６は、ECC処理部３５から供給されたL1情報に基づいて、例えば受信信号の帯域全体にOFDM信号が含まれる場合には、所望のData Sliceの中心周波数の情報を発振器３２に出力する。所望のData Sliceは、受信対象とするData Sliceを表す。
【００４６】
図５は、L1情報に含まれるパラメータを示す図である。主なパラメータについて説明する。
【００４７】
３行目のSTART_FREQUENCYは、C2 Systemの開始位置となる周波数を表す。開始位置は0Hzを起点して絶対周波数により表される。４行目のC2_BANDWIDTHは、C2 Systemの帯域幅を表す。
【００４８】
８行目のNUM_DSLICEは、C2 Frameに含まれるData Sliceの数を表す。９行目のNUM_NOTCHは、C2 Frameに含まれるNotchの数を表す。１０行目から４５行目までの各パラメータがData Slice毎に記述される。
【００４９】
１１行目のDSLICE_IDは、C2 SystemにおけるData SliceのIDを表す。１２行目のDSLICE_TUNE_POSは、START_FREQUENCYにより表される周波数を基準として、Data Sliceの中心周波数を表す。
【００５０】
４６行目から５０行目までの各パラメータがNotch毎に記述される。４７行目のNOTCH_STARTは、START_FREQUENCYにより表される周波数を基準としてNotchの位置を表す。４８行目のNOTCH_WIDTHは、Notchの帯域幅を表す。
【００５１】
周波数設定部３６は、受信対象とする所望のData Sliceの中心周波数をDSLICE_TUNE_POSから特定するなどの処理を行う。
【００５２】
MPEGデコーダ１３は、ECC処理部３５から供給されたTSを構成するTSパケットに格納されているデータのデコードを行い、デコード後のデータを後段に出力する。TSパケットに格納されているデータはMPEG2などの所定の方式で圧縮されている。
【００５３】
［信号の周波数遷移について］
ここで、帯域全体にOFDM信号が含まれる場合の受信信号の周波数遷移について説明する。
【００５４】
帯域全体にOFDM信号が含まれる場合の受信信号を図６Ａに示す。図６Ａに示す台形の底辺に沿って示す軸が周波数を表し、上向きの矢印の位置が帯域の中心周波数を表す。図６Ａの受信信号の帯域にはOFDM信号のみが含まれ、Notchが含まれていない。図６ＡのOFDM信号には所望のData SliceのOFDM信号が含まれる。
【００５５】
図４の例においては、帯域全体にOFDM信号が含まれるRF信号が周波数変換部２１に入力される。周波数変換部２１に入力されるRF信号の周波数は例えば666MHzであり、RFチューナ１１内に設けられる図示せぬバンドパスフィルタを通過した8MHzなどの所定の帯域幅を有する信号である。周波数変換部２１は、666MHzのRF信号を例えば5MHzのIF信号に変換し、直交復調部３１に出力する。Tuning Windowの帯域幅、すなわち受信信号の帯域幅を8MHzとして説明する。
【００５６】
受信信号の帯域全体にOFDM信号が含まれる場合、周波数設定部３６は、L1情報に含まれる所望のData SliceのDSLICE_TUNE_POSに従って、DSLICE_TUNE_POSにより指定される周波数を発振器３２に設定する。
【００５７】
直交復調部３１は、発振器３２により生成された信号に基づいて直交復調を行い、IF信号を、所望のData Sliceの中心周波数が直流成分となるベースバンド信号にダウンコンバージョンする。直交復調部３１は、直交復調によって得られたベースバンド信号を出力する。図４において直交復調部３１から出力される信号の中心周波数が0MHzであることは、その信号がベースバンド信号であることを表す。
【００５８】
このように、受信信号の帯域全体にOFDM信号が含まれる場合、所望のData SliceのDSLICE_TUNE_POSにより指定される周波数が直流成分となるベースバンド信号にダウンコンバージョンするようにして復調処理が行われる。
【００５９】
次に、帯域の一部にのみOFDM信号が含まれる場合の受信信号の周波数遷移について説明する。
【００６０】
帯域の一部にのみOFDM信号が含まれる場合の受信信号を図６Ｂに示す。図６Ｂに示す受信信号のうち、斜線を付して示す部分がNotchを表す。図６Ｂの受信信号には、中心周波数より高い周波数の帯域にNotchが含まれている。図６Ｂの受信信号に含まれるOFDM信号はDependent Static DSのOFDM信号であり、所望のData SliceのOFDM信号が少なくとも一部に含まれる。
【００６１】
図７に示すように、帯域の一部にのみOFDM信号が含まれるRF信号が周波数変換部２１に入力される。周波数変換部２１に入力されるRF信号の周波数は666MHzである。周波数変換部２１は、666MHzのRF信号を5MHzのIF信号に変換し、直交復調部３１に出力する。
【００６２】
受信信号の帯域の一部にのみOFDM信号が含まれる場合、周波数設定部３６は、L1情報に基づいて、受信信号に含まれるOFDM信号の帯域全体の中心周波数を特定する。以下、適宜、受信信号に含まれるDVB-C2のOFDM信号全体を所望OFDM信号という。
【００６３】
周波数設定部３６は、特定した所望OFDM信号の帯域の中心周波数を発振器３２に設定する。
【００６４】
直交復調部３１は、発振器３２により生成された信号に基づいて直交復調を行い、IF信号を、所望OFDM信号の帯域の中心周波数が直流成分となるベースバンド信号にダウンコンバージョンする。直交復調部３１は、直交復調によって得られたベースバンド信号を出力する。図７のベースバンド信号において、Notchの帯域を除く、所望OFDM信号の帯域の中心に上向きの矢印を示していることは、ベースバンド信号が、所望OFDM信号の帯域の中心周波数が直流成分となる信号であることを表す。
【００６５】
このように、受信信号の帯域の一部にのみOFDM信号が含まれる場合、所望のData SliceのDSLICE_TUNE_POSにより指定される周波数ではなく、所望のData Sliceを含む所望OFDM信号の帯域の中心周波数が直流成分となるベースバンド信号にダウンコンバージョンするようにして復調処理が行われる。
【００６６】
送信側は、それぞれのData Sliceの受信に最適な周波数の情報をL1情報に設定していると考えられる。しかし、送信側が最適と考える周波数と、復調にとって最適な周波数が異なる可能性があり、復調にとって最適な周波数を受信側で計算し、計算した周波数を用いてダウンコンバージョンを行った方が好ましい。受信装置１においては、受信信号の帯域の一部にのみOFDM信号が含まれる場合には、最適な中心周波数を所望OFDM信号の帯域の中心周波数として計算し、それを使って受信を行うようになされている。
【００６７】
これにより、所望のData SliceがDependent Static DSの全部または一部に含まれるData Sliceであり、受信信号の帯域の一部にしかOFDM信号が含まれていない場合の受信性能を向上させることが可能になる。受信信号の帯域の中心周波数ではなく、所望OFDM信号の帯域の中心周波数が直流成分となるベースバンド信号にダウンコンバージョンすることによって受信性能を向上させることができる理由については後述する。
【００６８】
なお、最適な中心周波数の計算に用いられるL1情報は、Dependent Static DSではないData Slice（通常のData Slice）を受信したときに受信されたL1情報である。DVB-C2においては、所望のData SliceがDependent Static DSの全部または一部に含まれるData Sliceである場合、先に、通常のData Sliceの受信が行われる。通常のData Sliceの受信時にL1情報を復号することができ、Dependent Static DSの受信は、通常のData Sliceの受信時に取得されたL1情報を用いて行われる。上述したように、Dependent Static DSを含む帯域の信号を受信して復調してもL1情報を復号できるとは限らない。
【００６９】
［具体例について］
復調処理の具体例について説明する。
【００７０】
図８は、送信側における送信信号の例を示す図である。
【００７１】
図８の送信信号は8MHzの帯域幅を有する信号であり、その周波数帯域には、Broadband Notchに挟まれたDependent Static DSが存在する。Dependent Static DSを挟んで周波数の低い帯域にあるBroadband Notchには局所的な妨害波が含まれる。また、Dependent Static DSを挟んで周波数の高い帯域にあるBroadband NotchにはDVB-Cなどの他の規格の信号が妨害波として含まれる。
【００７２】
図８のDependent Static DSの帯域幅は2MHzであり、帯域幅が同じDS0乃至4の５つのData Sliceから構成される。Dependent Static DSにはL1情報を伝送するPreamble SymbolのブロックであるL1ブロックが付加される。通常のData Sliceを受信したときに取得されるL1情報には、DS0乃至4のそれぞれの中心周波数である周波数ｆ０乃至ｆ４の情報が含まれる。
【００７３】
受信対象とする所望のData Sliceが左端のDS0である場合について説明する。DS0の左端はBroadband Notchに接し、右端は、隣接するData Slice群であるDS1乃至4に接する。所望のData Sliceの中心周波数と、所望のData Sliceを含む所望OFDM信号の帯域の中心周波数とが異なることになる。所望OFDM信号の帯域幅は2MHzである。
【００７４】
図９は、受信信号の帯域の中心周波数が所望のData SliceであるDS0の中心周波数と同じ周波数になるように、周波数をシフトさせた受信信号の例を示す図である。この場合、IF信号は、DS0の中心周波数である周波数f０が直流成分となるベースバンド信号にダウンコンバージョンされることになる。
【００７５】
図９の所望OFDM信号の帯域の位置は、受信信号の帯域において右側（周波数の高い側）に偏っている状態になる。
【００７６】
所望OFDM信号の帯域の位置が受信信号の帯域において偏った位置にあると受信性能が劣化する。所望OFDM信号の偏りに起因する受信性能の劣化を防ぐために図９に示すようにDS0以外のData SliceのOFDM信号を抑圧する干渉除去フィルタを設定した場合、取得可能なContinual Pilotの数が少なくなり、復調自体が困難になる。DVB-C2のData Symbolには、Scattered Pilot、Continual Pilotなどのパイロットシンボルが挿入され、復調時の伝送路特性の推定に用いられる。
【００７７】
図１０は、受信信号の帯域の中心周波数が所望OFDM信号の帯域の中心周波数と同じ周波数になるように、周波数をシフトさせた受信信号の例を示す図である。この場合、IF信号は、所望OFDM信号の帯域に含まれるDS2の中心周波数である周波数f２が直流成分となるベースバンド信号にダウンコンバージョンされることになる。
【００７８】
図１０の所望OFDM信号の帯域の位置は、受信信号の帯域において中央にある状態になる。
【００７９】
これにより、所望OFDM信号の偏りに起因する受信性能の劣化を防ぐことができる。また、DS0乃至4のOFDM信号以外の信号を抑圧する干渉除去フィルタを設定したとしても、Continual Pilotを2MHzの帯域に含まれる分だけ取得することができ、復調自体が困難になることもない。
【００８０】
受信信号の帯域の中心周波数として、DS2の中心周波数ではなく、DS2の中心周波数近傍の周波数を用いることも可能である。DS0の中心周波数よりDS2の中心周波数に近い周波数であれば、受信信号の帯域におけるOFDM信号の偏りを軽減することが可能になる。
【００８１】
受信信号の帯域の中心周波数が所望OFDM信号の帯域の中心周波数と同じ周波数になるように受信信号の帯域をシフトすることが、図１０のように所望のData Sliceが所望OFDM信号の帯域の端に含まれる場合にのみ行われるようにしてもよいし、端以外の位置に含まれる場合にも行われるようにしてもよい。
【００８２】
［受信装置の動作について］
ここで、図１１のフローチャートを参照して、Dependent Static DSを受信するための受信装置１の処理について説明する。
【００８３】
ステップＳ１において、受信装置１の各部は通常のData Sliceを受信する。この場合の受信装置１の各部における信号の周波数遷移は図４を参照して説明したものになる。
【００８４】
すなわち、RFチューナ１１の周波数変換部２１はRF信号をIF信号に変換する。復調部１２の直交復調部３１は、発振器３２から供給された信号に基づいてIF信号の直交復調を行う。受信対象が通常のData Sliceであるから、直交復調部３１による直交復調は、IF信号を、受信信号の帯域の中心周波数が直流成分となるベースバンド信号にダウンコンバージョンするようにして行われる。また、FFT演算部３３は、時間域のベースバンド信号に対してFFT演算を施す。等化部３４は周波数域の信号の等化を行う。ECC処理部３５は、等化後の各シンボルのデータの誤り訂正復号を行い、誤り訂正復号後のデータを出力する。
【００８５】
ステップＳ２において、周波数設定部３６は、通常のData Sliceの受信時に誤り訂正復号後のデータとしてECC処理部３５から出力されたL1情報を取得する。
【００８６】
ステップＳ３において、周波数設定部３６は、Dependent Static DSを受信するための受信信号の帯域の中心周波数を、図１０を参照して説明したように所望OFDM信号の帯域の中心周波数として決定する。
【００８７】
ステップＳ４において、受信装置１の各部はDependent Static DSを受信する。この場合の受信装置１の各部における信号の周波数遷移は図７を参照して説明したものになる。
【００８８】
すなわち、RFチューナ１１の周波数変換部２１はRF信号をIF信号に変換する。復調部１２の直交復調部３１は、発振器３２から供給された信号に基づいてIF信号の直交復調を行う。受信対象がDependent Static DSであるから、直交復調部３１による直交復調は、IF信号を、所望OFDM信号の帯域の中心周波数が直流成分となるベースバンド信号にダウンコンバージョンするようにして行われる。また、FFT演算部３３は、時間域のベースバンド信号に対してFFT演算を施す。等化部３４は周波数域の信号の等化を行う。ECC処理部３５は、等化後の各シンボルのデータの誤り訂正復号を行い、誤り訂正復号後のデータを出力する。
【００８９】
以上の処理により、受信装置１は、Dependent Static DSの受信性能を向上させることができる。
【００９０】
＜効果について＞
ここで、Dependent Static DSの受信時に以上のようにして受信信号の帯域をシフトすることによって受信性能を向上させることができる理由について説明する。
【００９１】
図１２は、受信装置１の詳細な構成例を示すブロック図である。図１２に示す構成のうち、図４等に示す構成と同じ構成には同じ符号を付してある。重複する説明については適宜省略する。
【００９２】
図１２の復調部１２には、図４の構成の他に、クロック周波数補正部５１、キャリア周波数補正部５２、GI相関計算部５３、キャリア周波数補正値生成部５４、クロック周波数誤差検出部５５、およびクロック周波数補正値生成部５６が設けられる。直交復調部３１による直交復調によって得られたベースバンド信号である時間域のOFDM信号はクロック周波数補正部５１に供給される。また、FFT演算部３３によるFFT演算によって得られた周波数域のOFDM信号はクロック周波数誤差検出部５５に供給される。
【００９３】
クロック周波数補正部５１は、クロック周波数補正値生成部５６から供給されたクロック周波数補正値に従って、直交復調部３１から供給された時間域のOFDM信号に含まれるクロック周波数誤差（サンプリング周波数誤差）を補正する。クロック周波数補正部５１に供給される受信信号には実軸成分（Ｉ成分）と虚軸成分（Ｑ成分)とが含まれる。クロック周波数補正部５１は、クロック周波数誤差を補正した補正後の時間域のOFDM信号をキャリア周波数補正部５２に出力する。
【００９４】
キャリア周波数補正部５２は、キャリア周波数補正値生成部５４から供給されたキャリア周波数補正値に従って、クロック周波数補正部５１から供給された時間域のOFDM信号に含まれるキャリア周波数誤差を補正する。キャリア周波数補正部５２は、キャリア周波数誤差を補正した補正後の時間域のOFDM信号をFFT演算部３３とGI相関計算部５３に出力する。
【００９５】
GI相関計算部５３は、キャリア周波数補正部５２から供給された時間域のOFDM信号と、その時間域のOFDM信号を有効シンボル長だけ遅延させた遅延信号との乗算値の、例えばGI長に相当する時間分の平均値をGI相関（自己相関）として求める。このようにして求められたGI相関は、OFDMシンボルの境界でピーク値をとることになる。
【００９６】
ピーク値をとるGI相関の位相は、デジタル直交復調に用いられるキャリアの周波数と、デジタル直交復調されるOFDM信号（受信されたOFDM信号）の中心周波数とが完全に一致している場合には0になる。しかし、デジタル直交復調に用いられるキャリアの周波数が、デジタル直交復調されるOFDM信号の中心周波数からずれている場合、そのずれ量の分だけ、ピーク値をとるGI相関の位相は回転する。
【００９７】
従って、ピーク値をとるGI相関の位相は、デジタル直交復調に用いられるキャリアの周波数と、デジタル直交復調されるOFDM信号の中心周波数とのずれ量を表すことになる。キャリア周波数補正値生成部５４は、ピーク値をとるGI相関の位相に基づいてキャリア周波数誤差を推定し、キャリア周波数誤差推定量をキャリア周波数補正値生成部５４に出力する。
【００９８】
キャリア周波数補正値生成部５４は積分器であり、GI相関計算部５３により推定されたキャリア周波数誤差推定量を積分し、積分結果をキャリア周波数補正値としてキャリア周波数補正部５２に出力する。
【００９９】
クロック周波数誤差検出部５５は、FFT演算部３３から供給された周波数域のOFDM信号に含まれるクロック周波数誤差を推定する。周波数域のOFDM信号に含まれるクロック周波数誤差は、例えばOFDMのパイロットシンボル間の位相差に基づいて推定される。
【０１００】
OFDMにおいては、各サブキャリアは所定の周波数間隔で配置され、サブキャリア番号が大きくなるほど、その周波数も高くなる。クロック周波数に誤差が無い場合、伝送路の雑音等に起因する位相誤差だけが周波数域のOFDM信号に含まれるから、各パイロットキャリアの位相誤差はほぼ一定になる。
【０１０１】
これに対し、クロック周波数に誤差がある場合、パイロットキャリアの位相誤差には、伝送路の雑音等に起因する位相誤差に加えて、クロック周波数の誤差に起因する位相誤差が含まれる。クロック周波数の誤差に起因する位相誤差は、サブキャリア番号が大きく、周波数が高いパイロットキャリアの方がより大きくなる。すなわち、クロック周波数の誤差に起因する位相誤差はサブキャリア番号に比例したものになる。
【０１０２】
クロック周波数誤差検出部５５は、サブキャリア番号に比例する位相誤差を検出し、クロック周波数誤差を推定する。クロック周波数誤差の推定については例えば特開２０１０−８７７４９号公報に開示されている。クロック周波数誤差検出部５５は、クロック周波数誤差推定量をクロック周波数補正値生成部５６に出力する。
【０１０３】
クロック周波数補正値生成部５６は積分器であり、クロック周波数誤差検出部５５により推定されたクロック周波数誤差推定量を積分し、積分結果をクロック周波数補正値としてクロック周波数補正部５１に出力する。
【０１０４】
図１３は、GI相関計算部５３の構成例を示すブロック図である。
【０１０５】
GI相関計算部５３は、遅延部６１、乗算部６２、移動平均計算部６３、ピーク検出部６４、およびI/Q位相差算出部６５から構成される。キャリア周波数補正部５２から出力された時間域のOFDM信号は遅延部６１と乗算部６２に入力される。
【０１０６】
遅延部６１は、入力された時間域のOFDM信号を有効シンボル長だけ遅延させ、遅延させた後に、複素共役(Conj)にして乗算部６２に出力する。
【０１０７】
乗算部６２は、入力された時間域のOFDM信号と遅延部６１による遅延信号との乗算値を求め、移動平均計算部６３に出力する。
【０１０８】
移動平均計算部６３は、乗算部６２から供給された乗算値のGI長に相当する時間毎の移動平均をGI相関として求め、ピーク検出部６４に出力する。
【０１０９】
ピーク検出部６４は、GI相関のピーク位置を検出し、ピーク位置におけるＩ成分の位相とＱ成分の位相の情報をI/Q位相差算出部６５に出力する。ピーク位置の情報はFFT演算部３３にも供給され、FFT演算の対象となる区間が設定される。
【０１１０】
I/Q位相差算出部６５は、ピーク検出部６４により検出されたピーク位置におけるＩ成分の位相とＱ成分の位相の差によって表されるキャリア周波数誤差の情報をキャリア周波数補正値生成部５４に出力する。
【０１１１】
キャリア周波数誤差の影響について説明する。
【０１１２】
図１４は、図１３の位置Ａ、位置Ｂ、位置Ｃのそれぞれの位置における信号の例を示す図である。位置Ａは入力信号が観測される位置であり、位置Ｂは遅延信号が観測される位置である。位置ＣはGI相関の移動平均が観測される位置である。横方向が時間方向を表す。
【０１１３】
図１４の上段に示すように、１OFDMシンボルは、送信時にIFFTが行われる信号区間である有効シンボルと、斜線を付して示す有効シンボルの後半の一部の波形が、そのまま有効シンボルの先頭にコピーされたガードインターバル（GI）とから構成される。
【０１１４】
図１４の上段は入力信号を表し、中段は遅延信号を表す。キャリア周波数誤差がない場合、図１４の下段に示すように、入力信号のOFDMシンボルの境界位置にＩ成分のGI相関のピークが現れる。
【０１１５】
一方、キャリア周波数誤差Δｆがある場合、入力信号r(t)を下式（１）で表すと、GI相関は下式（２）で表される。tは時刻を表す。式（１）のｒB(t)はキャリア周波数誤差がない場合の入力信号であり、式（２）のTuは有効シンボル長である。
【数１】
0005828215.tif 000002
【数２】
0005828215.tif 000003
【０１１６】
式（２）のe+j2πΔfTuより、GI相関のピーク位置では、Ｉ成分とＱ成分にキャリア周波数誤差Δｆに比例した回転が生じることが分かる。図１５はキャリア周波数誤差がある場合の信号の例を示す図である。図１５の下段に示すように、Ｑ成分にもGI相関のピークが現れる。
【０１１７】
次に、クロック周波数誤差の影響について説明する。
【０１１８】
図１６は、OFDM信号の波形を示す図である。OFDM信号を信号Ｓ１乃至Ｓ４の４つの正弦波の集合として考える。信号Ｓ１乃至Ｓ４が各キャリアに相当する。
【０１１９】
時刻ｔ１から時刻ｔ２までの区間がGIの区間に対応し、時刻ｔ２から時刻ｔ３までの区間が有効シンボルの区間に対応する。信号Ｓ１の有効シンボルの区間には１周期分の正弦波が含まれ、信号Ｓ２の有効シンボルの区間には２周期分の正弦波が含まれる。信号Ｓ３の有効シンボルの区間には３周期分の正弦波が含まれ、信号Ｓ４の有効シンボルの区間には４周期分の正弦波が含まれる。
【０１２０】
図１７の矢印で示すように、GI相関は、各キャリアの所定の位置の信号と有効シンボル長だけ後の位置の信号を乗算したものに相当するから、キャリア周波数誤差もクロック周波数誤差もない場合、乗算する信号に位相差が現れず、GI相関がＩ成分しか生じない。図１７の信号Ｓ１においては、GIと有効シンボルの境界である位置Ｐ１の信号の位相と、有効シンボルの終端である位置Ｐ２の信号の位相に差がない。
【０１２１】
図１８は、0.25キャリア分のキャリア周波数誤差がある場合の波形を示す図である。クロック周波数誤差はないものとする。
【０１２２】
この場合、各キャリアの所定の位置の信号の位相と有効シンボル長だけ後の位置の信号の位相には、全キャリアにおいて同一の、固定の位相差Δθが生じる。信号Ｓ１の有効シンボルの区間には1.25周期分の正弦波が含まれ、信号Ｓ２の有効シンボルの区間には2.25周期分の正弦波が含まれる。信号Ｓ３の有効シンボルの区間には3.25周期分の正弦波が含まれ、信号Ｓ４の有効シンボルの区間には4.25周期分の正弦波が含まれる。
【０１２３】
図１９は、1/10クロック分のクロック周波数誤差がある場合の波形を示す図である。キャリア周波数誤差はないものとする。
【０１２４】
この場合、各キャリアの所定の位置の信号の位相と有効シンボル長だけ後の位置の信号の位相には、各キャリアにおいて、本来のキャリア周波数に比例した位相差が生じる。
【０１２５】
信号Ｓ１のGIと有効シンボルの境界位置における信号の位相と、有効シンボルの終端位置における信号の位相の差をΔθとする。信号Ｓ２のGIと有効シンボルの境界位置の信号の位相と、有効シンボルの終端位置の信号の位相には位相差Δθ×２が生じ、信号Ｓ３のGIと有効シンボルの境界位置の信号の位相と、有効シンボルの終端位置の信号の位相には位相差Δθ×３が生じる。また、信号Ｓ４のGIと有効シンボルの境界位置の信号の位相と、有効シンボルの終端位置の信号の位相には位相差Δθ×４が生じる。
【０１２６】
信号Ｓ１の有効シンボルの区間には0.9周期分の正弦波が含まれ、信号Ｓ２の有効シンボルの区間には1.8周期分の正弦波が含まれる。信号Ｓ３の有効シンボルの区間には2.7周期分の正弦波が含まれ、信号Ｓ４の有効シンボルの区間には3.6周期分の正弦波が含まれる。
【０１２７】
クロック周波数誤差のみがある場合の周波数と位相差の関係を図２０に示す。図２０ＡはOFDMのキャリアの分布を示す図である。図２０Ｂに示すように、GI相関の位相差はキャリアの周波数（キャリア番号）に比例した量になる。
【０１２８】
図２０の周波数ｆ１〜ｆ２の帯域がDVB-C2のTuning Windowの帯域であるとすると、受信信号の帯域全体にOFDM信号が含まれる状態でクロック周波数誤差のみがある場合には、図２０Ｂに示すようにキャリア番号に比例したGI相関の位相差が現れることになる。
【０１２９】
受信信号の帯域の一部にのみOFDM信号が含まれる状態でクロック周波数誤差のみがある場合について考える。図２１Ａに示すように、受信信号の帯域である周波数ｆ１〜ｆ２の帯域の中心周波数を中心として対称にOFDM信号が分布する場合、図２１Ｂにおいて色を付して示す周波数ｆ１１〜ｆ１２の範囲の位相差がI/Q位相差算出部６５により検出され、キャリア周波数補正値生成部５４により積分されることになる。キャリア周波数補正値生成部５４による積分結果は０となり、キャリア周波数誤差はないものとして判定される。
【０１３０】
ここではクロック周波数誤差のみがある場合を考えているから、キャリア周波数補正値生成部５４の判定結果は正しい結果となる。キャリア周波数補正部５２においては、いまのキャリア周波数誤差の状態に応じて適切な処理が行われることになる。すなわち、キャリア周波数誤差が０であるからキャリア周波数補正部５２においては補正が行われない。
【０１３１】
これに対し、図２２Ａに示すように、受信信号の帯域である周波数ｆ１〜ｆ２の帯域の中心周波数を中心として対称にOFDM信号が分布しておらず、OFDM信号の帯域に偏りがある場合、図２２Ｂにおいて色を付して示す周波数ｆ２１〜ｆ２２の範囲の位相差がキャリア周波数補正値生成部５４により検出され、キャリア周波数補正値生成部５４により積分されることになる。キャリア周波数補正値生成部５４による積分結果は０にならず、キャリア周波数誤差が積分結果の分だけあるものとして判定される。
【０１３２】
ここではクロック周波数誤差のみがある場合を考えているから、キャリア周波数補正値生成部５４の判定結果は正しくない結果となる。キャリア周波数補正部５２においては、いまのキャリア周波数誤差の状態とは異なる処理が行われることになる。すなわち、キャリア周波数誤差が実際には０であるにも関わらず、キャリア周波数補正部５２においては、積分結果に相当する分だけキャリア周波数誤差を補正する処理が行われてしまう。
【０１３３】
受信信号の帯域においてOFDM信号の帯域に偏りがある場合、このように実際のキャリア周波数誤差の状態に合致しない形で補正処理が行われる。これにより、OFDM信号の帯域に偏りがない場合と較べて受信性能が劣化することになる。
【０１３４】
言い換えると、受信信号の帯域の一部に含まれる所望OFDM信号の帯域に偏りがある場合にその偏りをなくし、所望OFDM信号の帯域が受信信号の帯域において中心周波数を基準として対称に位置するようにダウンコンバージョンを行うことにより、受信性能を向上させることが可能になる。
【０１３５】
＜変形例＞
図２３は、受信装置１の第２の構成例を示すブロック図である。
【０１３６】
図２３に示す構成のうち、図４の構成と同じ構成には同じ符号を付してある。重複する説明については適宜省略する。図２３に示す受信装置１の構成は、直交復調部３１の後段であって、FFT演算部３３の前段の位置にフィルタ処理部１０１が設けられている点で図４の構成と異なる。
【０１３７】
復調部１２の直交復調部３１は、RFチューナ１１の周波数変換部２１から供給されたIF信号に対して直交復調を施す。直交復調部３１は、直交復調を施すことによって得られた時間域のベースバンド信号をフィルタ処理部１０１に出力する。
【０１３８】
図２３の例においては、図７を参照して説明したように、受信信号の帯域の一部にのみ所望OFDM信号が含まれている。フィルタ処理部１０１に供給されたベースバンド信号は、所望OFDM信号の帯域の中心周波数が直流成分となる信号にIF信号をダウンコンバージョンした信号である。
【０１３９】
フィルタ処理部１０１は、周波数設定部３６から供給された所望OFDM信号に関する情報に基づいて、所望OFDM信号の帯域に隣接する、所望OFDM信号の帯域以外の帯域の信号をローパスフィルタによって抑圧する。フィルタ処理部１０１は、所望OFDM信号の帯域以外の帯域の信号を抑圧したベースバンド信号をFFT演算部３３に出力する。
【０１４０】
FFT演算部３３は、フィルタ処理部１０１から供給されたベースバンド信号に対してFFT演算を施し、周波数域のベースバンド信号を出力する。
【０１４１】
周波数設定部３６は、ECC処理部３５から供給されたL1情報に基づいて、受信信号に含まれるOFDM信号の帯域を特定し、OFDM信号の帯域の情報をフィルタ処理部１０１に出力する。
【０１４２】
所望OFDM信号の帯域外に外乱が存在することが想定される。そのような外乱についてはフィルタ処理によって抑圧しておいた方が好ましい。例えば電力の高い信号が外乱として存在する場合、それを抑圧しないときにはFFT演算においてオーバーフローが発生し、受信性能が劣化するおそれがある。FFT演算の前に外乱を抑圧しておくことによって、FFT演算のオーバーフローを防ぐことができ、受信性能を向上させることが可能になる。フィルタ処理の前に上述したようにしてダウンコンバージョンを行い、処理対象の信号をベースバンド信号とすることによって、複素数係数ではなく実数係数のローパスフィルタを用いてフィルタ処理を行うことができ、回路規模を減らすことができる。
【０１４３】
フィルタ処理部１０１の位置は、復調部１２内の直交復調部３１の前段の位置であってもよいし、RFチューナ１１内などの他の位置であってもよい。
【０１４４】
図２４は、受信装置１の第３の構成例を示すブロック図である。図２４に示す構成のうち、図４の構成と同じ構成には同じ符号を付してある。重複する説明については適宜省略する。
【０１４５】
図２４の受信装置１においては、受信信号の帯域の一部にのみ所望OFDM信号の帯域が含まれる場合、RF信号からIF信号に変換する段階で、所望OFDM信号の帯域の偏りをなくす処理が行われる。
【０１４６】
周波数設定部３６は、受信信号の帯域の一部にのみ所望OFDM信号が含まれる場合、L1情報に基づいて、受信信号の帯域に含まれる所望OFDM信号の帯域の中心周波数を特定し、所望OFDM信号の帯域の中心周波数の情報をRFチューナ１１の発振器２２に出力する。
【０１４７】
RFチューナ１１の発振器２２は、周波数設定部３６により設定された周波数の信号を生成し、周波数変換部２１に出力する。
【０１４８】
周波数変換部２１は、入力されたRF信号を受信し、発振器２２から供給された所定の周波数の信号に基づいてRF信号の周波数変換を行う。周波数変換部２１は、周波数変換を行うことによって得られた、所望OFDM信号の帯域の中心周波数と同じ周波数のIF信号を直交復調部３１に出力する。
【０１４９】
このように、IF信号からベースバンド信号に変換する直交復調の段階ではなく、RF信号からIF信号に変換する段階でOFDM信号の帯域の偏りをなくすことによっても受信性能を向上させることができる。
【０１５０】
図２５は、受信信号の帯域のシフトの他の例について説明する図である。
【０１５１】
図１０の場合と同様に、図２５のDependent Static DSの帯域幅は2MHzであり、DS0乃至4の５つのData Sliceから構成される。受信対象とする所望のData Sliceが左端のDS0である。Dependent Static DSの左端はBroadband Notchに接し、右端はC2 System外の帯域に接する。図２５のDependent Static DSはC2 Systemの端に設定されたData Sliceである。
【０１５２】
この場合、周波数設定部３６は、L1情報に基づいて、所望OFDM信号の帯域の中心周波数である周波数f2を特定する。周波数設定部３６は、所望OFDM信号の帯域の中心周波数である周波数f2より、Broadband Notchから離れた所定の周波数を、受信信号の帯域の中心周波数として設定する。図２５の例においては、周波数f2よりC2 System外の帯域に近い、DS3の中心周波数である周波数f３が受信信号の帯域の中心周波数として設定されている。
【０１５３】
受信信号の帯域の中心周波数として所望OFDM信号の帯域の中心周波数よりC2 System外の帯域に近い周波数を設定することによって、受信信号の帯域に含まれるNotchの帯域幅を狭くすることができ、Notchの帯域に外乱がある場合にその影響を減らすことが可能になる。
【０１５４】
［受信システムの構成例］
図２６は、受信装置１を適用した受信システムの構成例を示すブロック図である。
【０１５５】
図２６の受信システム２０１は、チューナ２１１、復調部２１２、信号処理部２１３、および出力部２１４から構成される。
【０１５６】
チューナ２１１は、地上デジタル放送、衛星デジタル放送、CATV網、インターネットなどの伝送路を介して伝送されてきた信号を受信し、復調部２１２に出力する。上述したRFチューナ１１はチューナ２１１に含まれる。
【０１５７】
復調部２１２は、チューナ２１１から供給された信号に対して、復調処理、誤り訂正処理を含む伝送路復号処理を施し、伝送路復号処理によって得られたデータを信号処理部２１３に出力する。上述した復調部１２が復調部２１２に含まれる。
【０１５８】
信号処理部２１３は、伝送路復号処理によって得られたデータに対して、伸張処理、デスクランブル処理等の信号処理を適宜施し、送信対象のデータを取得する。上述したMPEGデコーダ１３が信号処理部２１３に含まれる。
【０１５９】
信号処理部２１３による伸張処理は、画像や音声などの送信対象のデータに対して、MPEG等の所定の方式を用いて送信側において圧縮が施されている場合に行われる。また、デスクランブル処理は、送信対象のデータに対して送信側においてスクランブルが施されている場合に行われる。信号処理部２１３は、信号処理を適宜施すことによって得られた送信対象のデータを出力部２１４に出力する。
【０１６０】
出力部２１４は、信号処理部２１３から供給されたデータに基づいて画像を表示させる場合、信号処理部２１３から供給されたデータに対してD/A変換等の処理を施す。出力部２１４は、D/A変換等の処理を施すことによって得られた画像信号を受信システム２０１に設けられたディスプレイ、または受信システム２０１の外部のディスプレイに出力し、画像を表示させる。
【０１６１】
また、出力部２１４は、信号処理部２１３から供給されたデータを記録媒体に記録させる場合、信号処理部２１３から供給されたデータを受信システム２０１の内部の記録媒体、または外部の記録媒体に出力し、記録させる。記録媒体は、ハードディスク、フラッシュメモリ、光ディスクなどより構成される。外部の記録媒体は、受信システム２０１の外付けの記録媒体だけでなく、ネットワークを介して接続される記録媒体であってもよい。
【０１６２】
以上のような構成を有する受信システム２０１は、IC(Integrated Circuit)チップ等のハードウェアにより構成されるようにしてもよいし、複数のICチップが配設されることによって構成されるボード等の部品や、その部品を含む独立した装置から構成されるようにしてもよい。
【０１６３】
チューナ２１１、復調部２１２、信号処理部２１３、および出力部２１４は、それぞれ、１つの独立したハードウェア、又はソフトウェアモジュールとして構成することが可能である。また、チューナ２１１、復調部２１２、信号処理部２１３、および出力部２１４のうちの２つ以上の組み合わせが１つの独立したハードウェア、又はソフトウェアモジュールとして構成されるようにしてもよい。例えば、チューナ２１１と復調部２１２が１つのハードウェア等により構成され、信号処理部２１３と出力部２１４が１つのハードウェア等により構成されるようにすることも可能である。
【０１６４】
受信システム２０１は、例えば、デジタル放送としてのテレビジョン放送を受信するTVや、ラジオ放送を受信するラジオ受信機、テレビジョン放送を録画するレコーダ機器等に適用することができる。
【０１６５】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１６６】
図２７は、上述した一連の処理をプログラムにより実行するコンピュータのハードウェアの構成例を示すブロック図である。
【０１６７】
CPU(Central Processing Unit)２５１、ROM(Read Only Memory)２５２、RAM(Random Access Memory)２５３は、バス２５４により相互に接続されている。
【０１６８】
バス２５４には、さらに、入出力インタフェース２５５が接続されている。入出力インタフェース２５５には、キーボード、マウスなどよりなる入力部２５６、ディスプレイ、スピーカなどよりなる出力部２５７が接続される。また、入出力インタフェース２５５には、ハードディスクや不揮発性のメモリなどよりなる記憶部２５８、ネットワークインタフェースなどよりなる通信部２５９、リムーバブルメディア２６１を駆動するドライブ２６０が接続される。
【０１６９】
以上のように構成されるコンピュータでは、CPU２５１が、例えば、記憶部２５８に記憶されているプログラムを入出力インタフェース２５５及びバス２５４を介してRAM２５３にロードして実行することにより、上述した一連の処理が行われる。
【０１７０】
CPU２５１が実行するプログラムは、例えばリムーバブルメディア２６１に記録して、あるいは、ローカルエリアネットワーク、インターネット、デジタル放送といった、有線または無線の伝送媒体を介して提供され、記憶部２５８にインストールされる。
【０１７１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７２】
本技術の実施の形態は、上述した実施の形態に限定されるものではなく、本技術の要旨を逸脱しない範囲において種々の変更が可能である。
【符号の説明】
【０１８５】
１  受信装置，  １１  RFチューナ，  １２  復調部，  １３  MPEGデコーダ，  ２１  周波数変換部，  ２２  発振器，  ３１  直交復調部，  ３２  発振器，  ３３  FFT演算部，  ３４  等化部，  ３５  ECC処理部，  ３６  周波数設定部，  １０１  フィルタ処理部
【図１】
0005828215.tif 000004
【図２】
0005828215.tif 000005
【図３】
0005828215.tif 000006
【図４】
0005828215.tif 000007
【図５】
0005828215.tif 000008
【図６】
0005828215.tif 000009
【図７】
0005828215.tif 000010
【図８】
0005828215.tif 000011
【図９】
0005828215.tif 000012
【図１０】
0005828215.tif 000013
【図１１】
0005828215.tif 000014
【図１２】
0005828215.tif 000015
【図１３】
0005828215.tif 000016
【図１４】
0005828215.tif 000017
【図１５】
0005828215.tif 000018
【図１６】
0005828215.tif 000019
【図１７】
0005828215.tif 000020
【図１８】
0005828215.tif 000021
【図１９】
0005828215.tif 000022
【図２０】
0005828215.tif 000023
【図２１】
0005828215.tif 000024
【図２２】
0005828215.tif 000025
【図２３】
0005828215.tif 000026
【図２４】
0005828215.tif 000027
【図２５】
0005828215.tif 000028
【図２６】
0005828215.tif 000029
【図２７】
0005828215.tif 000030